(57)【要約】      （修正有）【課題】耐用年数を高め、マンホール蓋に備えられた蝶番装置の蝶番の受け部やハンドグリップを、交換を容易に行えるようにしたマンホール蓋構造を提供する。【解決手段】マンホール蓋構造における鋳鉄製のマンホール蓋１の裏面を、硫化ガスなどの腐食性ガスに強い樹脂製のカバー６で覆うことにより、また、マンホール蓋１に設けた、ロック装置のフック、蝶番装置の蝶番、蓋受け枠に取り付けられた蝶番案内枠やハンドグリップを耐腐食性に優れるものにすることにより、マンホール蓋構造の耐用年数を高めることができる。蝶番装置の蝶番案内枠とハンドグリップについては、蓋受け枠に交換可能に装着されたフレーム構造物に取り付けることにより、腐食が進んだ蝶番装置の蝶番案内枠とハンドグリップの交換が容易にできる。【選択図】図６
2017125337.tif 000002
【特許請求の範囲】
【請求項１】
ロック装置、蝶番装置およびハンドグリップを備える、鋳鉄製のマンホール蓋と蓋受け枠からなるマンホール蓋構造であって、マンホール蓋の裏面に、樹脂製カバーを装着したことを特徴とするマンホール蓋構造。
【請求項２】
前記樹脂製カバーの樹脂がポリプロピレンであることを特徴とする請求項１に記載のマンホール蓋構造。
【請求項３】
前記ロック装置のフック、蝶番装置の蝶番と蝶番案内枠およびハンドグリップがステンレス製であることを特徴とする請求項１または２に記載のマンホール蓋構造。
【請求項４】
前記ロック装置のフック、蝶番装置の蝶番と蝶番案内枠およびハンドグリップが樹脂材で被覆またはカバーをした鋳鉄製であることを特徴とする請求項１または２に記載のマンホール蓋構造。
【請求項５】
前記蝶番装置の蝶番案内枠およびハンドグリップが蓋受け枠に交換可能に装着されたフレーム構造物に取り付けられていることを特徴とする請求項１〜４のいずれか一項に記載のマンホール蓋構造。
【発明の詳細な説明】
【技術分野】
【０００１】
本発明は、蝶番装置、ロック装置およびハンドグリップを有するマンホール蓋構造、とりわけ下水道用のマンホールに使用されるマンホールの蓋構造に関わる。
【背景技術】
【０００２】
マンホールは、下水道管路施設などを管理するために必要な施設であるが、人や車が歩行する場所に設けられるため、それらが落下等の事故を起こさないように、マンホールの上端に設けられた蓋受け枠にマンホール蓋が嵌合されている。
【０００３】
マンホール蓋構造を構成するマンホール蓋と蓋受け枠の間には、マンホール蓋がみだりに開けられないことや浮上を防止することなどのために、通常、ロック装置（施錠装置）と蝶番（ヒンジ）装置を備えている。図１にこれらの装置を備えたマンホール蓋構造を模式的に示した。この図で、１はマンホール蓋、２はマンホール蓋の蓋受け枠、３はロック装置、４は蝶番装置である。
ロック装置や蝶番装置は様々な形態のものが開発されている（特許文献１、２参照）。
【０００４】
ロック装置３は、マンホール蓋の外周縁部の裏面に設けられた取付座（図１に示さず）に回動可能に取り付けられたフック３１を蓋受け枠２のフック係止片２１に係止させて、マンホール蓋１を蓋受け枠２にロックして蓋受け枠２から外れないようにしている。フック３１は自重やコイルバネ（図１に示さず）により係止片２１に付勢されるようになっている。
ロックの解除は、通常、マンホール蓋１に設けられた鍵穴（バール孔）に専用鍵（バール）を挿入してフック３１の頭を押して、フックを蓋受け枠のフック係止片から係合を外すことにより行うことができる。
【０００５】
蝶番装置４は、マンホール蓋の外周縁部の裏面に設けられた取付座に回動自在に取り付けられた蝶番４１を蓋受け枠２の内周面に設けたＵ字状の蝶番案内枠５の枠内に挿通して、蝶番４１に設けられた係止部を蓋受け枠の内周面に形成された突出部に係止させて、マンホール蓋１を蓋受け枠２に連結しているものである。
ロック装置のフックと蝶番装置の蝶番は、通常、マンホール蓋の周縁部において対向する位置に設けられている。そして、マンホール蓋の開蓋は、ロック装置のロックを解除して、マンホール蓋を蓋受け枠から引き上げ、蝶番を支点としてマンホール蓋を旋回もしくは反転することにより行うことができる。
【０００６】
蓋受け枠２の下端部内周には、図１には示していないが、通常、Ｕ字状のハンドグリップが設けられている。このハンドグリップはマンホールに出入りする作業者が手を掛ける手掛け部（把持部）として使用され、作業者はこのハンドグリップを中継して、マンホール内に設けられた昇降ステップや梯子を利用して、マンホール内を昇降することができる。
【０００７】
下水道用のマンホール蓋や蓋受け枠は、鋳鉄製ものが多く使用されており、近年では、球状黒鉛鋳鉄（ダクタイル鋳鉄）製のものが大半を占めている。
鋳鉄製のマンホール蓋の裏面には、通常、製造業者や製造年、材質記号等の管理に必要な諸情報が鋳出し表示されている。
また、マンホール蓋に備えられている蝶番装置の蝶番やロック装置のフック、蓋受け枠に取り付けられた蝶番案内枠やハンドグリップも通常は鋳鉄製である。
【０００８】
ところで、下水道の普及にともない、膨大な数のマンホールが各所に設置されており、その維持管理が課題となっている。
マンホール内は、湿潤であり、また下水や汚泥から発生する硫化水素などのガスが発生するため、腐食が進行しやすい雰囲気が形成されている。とりわけ、鋳鉄製のマンホール蓋の裏面やマンホール蓋の周縁部に設けられた鋳鉄製の、ロック装置のフック、蝶番装置の蝶番、蓋受け枠に取り付けられた蝶番案内枠、ハンドグリップなどは、このような雰囲気に曝されるために、腐食が進行して錆が発生しやすい。
【０００９】
マンホール蓋１の裏面に腐食が進行すると、マンホール蓋の強度に影響するのみならず、マンホール蓋１と蓋受け枠２との間に錆付きが発生して、マンホール蓋の開閉に支障をきたす。
また、マンホール蓋の裏面に鋳出し表示されている製造業者や製造年、材質記号等の管理に必要な諸情報が判読困難になる。
【００１０】
また、ロック装置のフック３１や蝶番装置の蝶番４１、蝶番案内枠５に腐食が進行すると、ロック機構の解除や蝶番を支点とするマンホール蓋の旋回が困難になり、やはりマンホール蓋の開閉に支障をきたす。そして、これらのマンホール蓋構造に設けられた部材が腐食の進行により脱落すると、ロック装置や蝶番装置が機能せず、車両の走行による振動のショックや増水によりマンホール蓋が浮上して、マンホールの蓋受け枠からマンホール蓋が外れて、重大な事故を招きかねない。
ハンドグリップについても、腐食が進行すると、把持しているハンドグリップが作業中に折損して作業者が転落したりする危険がある。
【先行技術文献】
【特許文献】
【００１１】
特許文献１  特開平１０−１９５９０２号公報
特許文献２  特開２００２−３２７４４６号公報
【発明の概要】
【発明が解決しようとする課題】
【００１２】
本発明は、蝶番装置、ロック装置およびハンドグリップを備える鋳鉄製のマンホール蓋構造において、マンホール蓋の腐食の進行を遅らせることにより、さらには腐食の進行しやすい、蝶番装置の蝶番、蝶番案内枠やロック装置のフックやハンドグリップの腐食の進行を遅らせることにより、耐用年数を高めたマンホール蓋構造を提供することを課題とする。また、マンホール蓋に備えられた蝶番装置の蝶番案内枠やハンドグリップを、蓋受け枠に交換可能に装着されたフレーム構造物に取り付けることにより、交換を容易に行えるようにしたマンホール蓋構造を提供することを課題とする。
【課題を解決するための手段】
【００１３】
本発明は、上記の課題を解決するために、以下の手段を採用する。
［１］ロック装置、蝶番装置およびハンドグリップを備える、鋳鉄製のマンホール蓋と蓋受け枠からなるマンホール蓋構造であって、マンホール蓋の裏面に、樹脂製カバーを装着したことを特徴とするマンホール蓋構造。
［２］前記樹脂製カバーの樹脂がポリプロピレンであることを特徴とする［１］に記載のマンホール蓋構造。
［３］前記ロック装置のフック、蝶番装置の蝶番と蝶番案内枠およびハンドグリップがステンレス製であることを特徴とする［１］または［２］に記載のマンホール蓋構造。
［４］前記ロック装置のフック、蝶番装置の蝶番と蝶番案内枠およびハンドグリップが樹脂材で被覆またはカバーをした鋳鉄製であることを特徴とする［１］または［２］に記載のマンホール蓋構造。
［５］前記蝶番装置の蝶番案内枠およびハンドグリップが蓋受け枠に交換可能に装着されたフレーム構造物に取り付けられていることを特徴とする［１］〜［４］のいずれかに記載のマンホール蓋構造。
【発明の効果】
【００１４】
本発明によれば、マンホール蓋構造における鋳鉄製のマンホール蓋の裏面を、硫化ガスなどの腐食性ガスに強い樹脂製のカバーで覆うことにより、マンホール蓋の裏面の錆や腐食の発生を低減して、マンホール蓋構造の耐用年数を高めることができる。また、マンホール蓋に設けた、蝶番装置の蝶番、蝶番案内枠やロック装置のフック、ハンドグリップを耐腐食性に優れるものにして、マンホール蓋と同様に、これらの部材の腐食を低減して、マンホール蓋構造の耐用年数を高めることができる。
また、蝶番装置の蝶番案内枠とハンドグリップを蓋受け枠に交換可能に装着されたフレーム構造物に取り付けたことにより、腐食が進んだ蝶番装置の蝶番案内枠とハンドグリップの交換が容易にできる。
【図面の簡単な説明】
【００１５】
【図１】ロック装置および蝶番装置を備えるマンホール蓋構造の概略断面図を示す。
【図２】裏面が上に向いているマンホール蓋の斜視図を示す。
【図３】カバーの斜視図（マンホール蓋の裏面に接する面が下向き）を示す。
【図４】カバーを装着されたマンホール蓋の斜視図を示す。
【図５】カバーの斜視図（マンホール蓋の裏面に接する面が上向き）を示す。
【図６】マンホール蓋（ａ）、カバー（ｂ）およびカバーが装着されたマンホール蓋（ｃ）の断面図を示す。
【図７】ハンドグリップと蝶番案内枠が同一レベルに取り付けられたフレーム構造物がマンホール蓋受け枠に嵌めこまれている平面図（ａ）、側面図（ｂ）および断面図（ｃ）を示す。
【図８】ハンドグリップと蝶番案内枠が異なるレベルに取り付けられたフレーム構造物がマンホール蓋受け枠に嵌めこまれている平面図（ａ）、側面図（ｂ）および断面図（ｃ）を示す。
【発明を実施するための形態】
【００１６】
マンホール蓋構造は、鋳鉄製のマンホール蓋１と蓋受け枠２から構成され、本発明のマンホール蓋構造では、ロック装置、蝶番装置およびハンドグリップを備えている。
【００１７】
マンホール蓋１の裏面には、図２から分かるように、通常、井桁状の補強リブ１１が形成されており、中央の囲い部のリブが高く、囲い部以外のリブは周縁部に向かうにしたがって低くなって傾斜している。補強リブ１１を形成することにより、マンホール蓋１の強度を保持するとともに、軽量にすることができる。
【００１８】
マンホール蓋１の裏面周縁部には、図２から分かるように、ロック装置３のフックが取り付けられる取付座３２と蝶番装置の蝶番が取り付けられる取付座４２が設けられている。
取付座３２にはフック３１が取り付けられ、また、取付座４２には蝶番が取り付けられて、マンホール蓋はマンホール上端の蓋受け枠に嵌合されることになる（なお、図２にはフック３１と蝶番４１は示されていない）。
これら２つの装置の取付座３２、４２は、通常、マンホール蓋の周縁部に対向するように配設されている。
【００１９】
本発明では、鋳鉄製のマンホール蓋１の裏面の腐食を低減するため、マンホール蓋１の裏面に樹脂製カバー６を装着する。樹脂としては、比重が小さくて強度が高く、吸湿性がなく耐食性に優れているポリプロピレンが好適である。以下、樹脂製カバーをカバーということがある。
【００２０】
図３から分かるように、カバー６のマンホール蓋１に接する側の面には、マンホール蓋１の井桁状の補強リブ１１に対応する凹部（その反対側の面には、該補強リブ１１に対応する凸部）が形成されている。そして、カバー６は、図４に示すように、マンホール蓋に装着したときに、該凹部にこの井桁状の補強リブ１１が収納され、マンホール蓋裏面の平面部と井桁状の補強リブ１１とに密着してマンホール蓋裏面とカバー６との間の隙間を極力少なくしている。
【００２１】
このようにカバー６は井桁状の補強リブ１１に対応した凹部（凸部）を有する立体形状を有しているが、この凹部（凸部）以外のカバー６の平面部には、図５に示すように、カバー６の強度を高めるために多数の凹部あるいは凸部を形成してもよい。
補強リブが井桁状に形成されていない場合もその形状に応じて、カバー６に補強リブが収納される凹部（凸部）を設ければよい。
【００２２】
マンホール蓋１の裏面側の外周縁部には、ロック装置３のフック３１とフック取付座３２および蝶番装置４の蝶番４１と蝶番取付座４２が設けられている（図１、図２参照）。
ロック装置３のフック３１は、ロック状態では蓋受け枠２の係止片２１に係合し、ロック解除状態ではこの係合が解除されるように、可動になっている。
また、蝶番装置４の蝶番４１は、蓋受け枠２に設けられたＵ字状の蝶番案内枠５に挿通されており、蝶番に形成された係止部が、蝶番の上昇時に蝶番案内枠の高さ位置の蓋受け枠内周面に形成された突出部に係合することにより、蓋の開閉時に蝶番を中心にして、マンホール蓋１が旋回したり反転したりできるように、可動になっている（図１参照）。
カバー６は、図３や図４から分かるように、カバー６の円周縁部の部位には切り欠き部が形成されており、ロック装置の取付座３２および蝶番装置の取付座４２は、カバーにより覆われないようになっている。したがって、カバー６をマンホール蓋の裏面に装着しても、ロック装置３のフック３１や蝶番装置４の蝶番４１の可動部分の可動範囲を制限しないようになっている。
【００２３】
カバー６をマンホール蓋１の裏面に装着することにより、湿潤な雰囲気や硫化水素などの腐食性の強いガスに直接さらされることがないので、鋳鉄製のマンホール蓋１の裏面の中央部を含む部位で、腐食の進行を遅らせることができる。
マンホール蓋１の裏面には、通常、製造業者や製造年、材質記号等の管理に必要な諸情報が鋳出し表示されているが、カバー６を装着することにより、鋳出し表示の判読を困難にする腐食を遅らせることができる。
【００２４】
カバー６のマンホール蓋１の裏面への装着は、接着剤により両者を接着して行うことができるが、ボルトナットやビスでカバー６をマンホール蓋１の裏面に取り付けることにより確実に行える。ボルトナットで取り付ける場合は、図３や図６に示すように、マンホール蓋の井桁状の補強リブ１１の数カ所にボルトの挿通孔（図面番号なし）を穿ち、同様にこの挿通孔に対応するカバーの凸部（凹部）の部位にもボルトの挿通孔を穿ち、これらの挿通孔にボルトを挿通してナットで締めることにより、カバー６をマンホール蓋１の裏面に密着して装着することができる。
図６（ａ）、（ｂ）、（ｃ）には、ボルト挿通のために穴空け加工が施されたマンホール蓋１およびカバー６、そしてカバー６がボルトナット７により装着されたマンホール蓋１がそれぞれ示されている。
【００２５】
このように、樹脂製カバーをマンホール蓋の裏面に装着することにより、マンホール蓋裏面の腐食を遅らせることができるが、マンホール蓋１の裏面に防食性の被膜を形成することによりさらに腐食を遅らせることもできる。
このような被膜として、アルミニウム被膜、亜鉛を含んだアルミニウム被膜が知られており、めっきや溶射により被膜形成を行うことができる。
【００２６】
マンホール蓋１の周縁部に設けられた取付座３２、４２には、それぞれフック３１、蝶番４１が取り付けられるが、フック３１と蝶番４１は、カバー６に覆われていないから、マンホール内の腐食性雰囲気に曝され、鋳鉄製のフック３１や蝶番４１は腐食の進行が早い。
そこで、フック３１と蝶番４１をステンレス製にするか、あるいは鋳鉄製のフック３１や蝶番４１にポリプロピレンなどの樹脂材で被覆またはカバーをしたものにすることにより、耐腐食性を高めることができる。
【００２７】
蝶番装置の蝶番が挿通される蝶番案内枠５は、蓋受け枠２に取り付けられ、マンホール内の突き出ているため腐食の進行が早い。
作業員が点検作業などでマンホール内に出入りするときに手掛け部（把持部）となるハンドグリップ８も、同様に、蓋受け枠２に取り付けられ、マンホール内に突き出ているため硫化水素などの腐食性ガスにさらされ、腐食の進行が早い。
そこで、ハンドクリップおよび蝶番案内枠を鋳鉄製ではなく、腐食に強いステンレス製とするか、あるいは腐食性のガスと接触しないようにして耐腐食性を高めるため、ポリプロピレンなどの樹脂で被覆またはカバーをした鋳鉄製のものにする。
【００２８】
蝶番案内枠５およびハンドグリップ８の蓋受け枠２への取り付けは、蓋受け枠２の下部に、ハンドグリップおよび蝶番案内枠の根元部が装着されたフレーム構造物９を挿入することにより行うことができる。
図７および図８には、蝶番案内枠５とハンドグリップ８が設けられたフレーム構造物９を示した。
図７の実施態様では、蝶番案内枠５の両側にハンドグリップ８が１つずつ並んで、ハンドグリップ８と蝶番案内枠５は同じレベルに取り付けられている。これに対して、図８の実施態様では、フレーム構造物９に蝶番案内枠５とハンドグリップ８が１つずつ取り付けられており、蝶番案内枠５がハンドグリップ８の上に位置して、蝶番案内枠５の先端部で下面がハンドグリップ８の中央部上面と接触している。
【００２９】
フレーム構造物９は、複数の凹部を有し、マンホール蓋の蓋受け枠２に嵌めこまれるものであり、フレーム構造物全体はマンホール蓋の蓋受け枠の外周に沿うように湾曲している。このフレーム構造物９は、鋳鉄製でもよいし、鋼材を成形して製作することができる。
ハンドグリップ８および蝶番案内枠５のそれぞれの根元部にはマンホールの中心側に傾斜した上方向の突片が一体的に形成されており、突片をフレーム構造物９の上記凹部の底部に貫通するように嵌合させて、蝶番案内枠５およびハンドグリップ８をフレーム構造物９に固定している。
【００３０】
ハンドグリップ８や蝶番案内枠５が腐食して取り替えが必要になった場合は、このフレーム構造物９をハンドグリップ８や蝶番案内枠５ごと蓋受け枠２より抜き出して、腐食していない新しいハンドグリップや蝶番案内枠を取り付けたフレーム構造物に交換することにより行う。こうすることで、腐食した蝶番案内枠５やハンドグリップ８を速やかに交換することができる。
【符号の説明】
【００３１】
１：マンホール蓋
１１：補強リブ
２：（マンホール）蓋受け枠
２１：フック係止片
３：ロック装置
３１：フック
３２：（フックの）取付座
４：蝶番装置
４１：蝶番
４２：（蝶番の）取付座
５：蝶番案内枠
６：樹脂製カバー
７：ボルトナット
８：ハンドグリップ
９：フレーム構造物
【図１】
2017125337.tif 000003
【図２】
2017125337.tif 000004
【図３】
2017125337.tif 000005
【図４】
2017125337.tif 000006
【図５】
2017125337.tif 000007
【図６】
2017125337.tif 000008
【図７】
2017125337.tif 000009
【図８】
2017125337.tif 000010